(57)【要約】  本開示は、インテリジェント撮影方法及び装置、インテリジェント端末に関し、通信技術分野に関し、関連技術において端末の撮影効果がさまざまな撮影シーンの要求を満たしにくい問題を解决することに用いられる。前記撮影方法は、撮影環境の環境情報を取得することと、前記環境情報に従って、対応するカメラを選択して撮影することとを含む。【選択図】図１
2020504969.tif 000002
【特許請求の範囲】
【請求項１】
撮影環境の環境情報を取得することと、
前記環境情報に従って、対応するカメラを選択して撮影することと、を含む、
インテリジェント撮影方法。
【請求項２】
前記環境情報は、光照射情報及び／又は被写体距離情報を含む、
請求項１に記載の方法。
【請求項３】
撮影環境の光照射情報を取得することは、カラーセンサによって撮影環境の光照射情報を取得することを含む、
請求項２に記載の方法。
【請求項４】
前記光照射情報は、環境輝度及び／又は環境色温度を含む、
請求項２に記載の方法。
【請求項５】
前記光照射情報に従って対応するカメラを選択して撮影することは、
前記環境輝度が第１の閾値よりも小さい場合、赤外線カメラを用いて撮影することと、
前記環境輝度が前記第１の閾値よりも大きく、かつ、第２の閾値よりも小さく、かつ、前記環境色温度が予め設定された色温度閾値よりも小さい場合、低色温度カメラを用いて撮影することと、
前記環境輝度が前記第２の閾値よりも大きく、かつ、第３の閾値よりも小さく、又は前記環境色温度が前記予め設定された色温度閾値よりも小さい場合、次強輝度カメラを用いて撮影することと、
前記環境温度が前記第３の閾値よりも大きい場合、強輝度カメラを用いて撮影することとを含み、
前記第１の閾値、前記第２の閾値及び前記第３の閾値は、上記の順に従って大きくなる、
請求項４に記載の方法。
【請求項６】
撮影環境の被写体距離情報を取得することは、
レーザセンサによって被写体のカメラに対する撮影距離を取得することを含み、
前記環境情報に従って、対応するカメラを選択して撮影することは、
前記撮影距離が第１の距離よりも小さい場合、第１の絞りカメラを用いて撮影することと、
前記撮影距離が前記第１の距離よりも大きい場合、第２の絞りカメラを用いて撮影することと、を含む、
請求項２に記載の方法。
【請求項７】
撮影環境の環境情報を取得するように構成される情報取得ユニットと、
前記情報取得ユニットによって取得した環境情報に従って、対応するカメラを選択して撮影するように構成される選択撮影ユニットと、を備える、
インテリジェント撮影装置。
【請求項８】
前記環境情報は、光照射情報及び／又は被写体距離情報を含む、
請求項７に記載の装置。
【請求項９】
撮影環境の光照射情報を取得することは、
カラーセンサによって撮影環境の光照射情報を取得することを含む、
請求項８に記載の装置。
【請求項１０】
前記光照射情報は、環境輝度及び／又は環境色温度を含む、
請求項８に記載の装置。
【請求項１１】
前記選択撮影ユニットは、
前記環境輝度が第１の閾値よりも小さい場合、赤外線カメラを用いて撮影し、
前記環境輝度が前記第１の閾値よりも大きく、かつ、第２の閾値よりも小さく、かつ、前記環境色温度が予め設定された色温度閾値よりも小さい場合、低色温度カメラを用いて撮影し、
前記環境輝度が前記第２の閾値よりも大きく、かつ、第３の閾値よりも小さく、又は前記環境色温度が前記予め設定された色温度閾値よりも大きい場合、次強輝度カメラを用いて撮影し、
前記環境温度が前記第３の閾値よりも大きい場合、強輝度カメラを用いて撮影するように構成され、
前記第１の閾値、前記第２の閾値及び前記第３の閾値は、上記の順に従って大きくなる、
請求項１０に記載の装置。
【請求項１２】
前記情報取得ユニットは、レーザセンサによって被写体のカメラに対する撮影距離を取得するように構成され、
前記選択撮影ユニットは、前記撮影距離が第１の距離よりも小さい場合、第１の絞りカメラを用いて撮影し、前記撮影距離が前記第１の距離よりも大きい場合、第２の絞りカメラを用いて撮影するように構成される、
請求項７に記載の装置。
【請求項１３】
少なくとも２つのカメラと、請求項７〜１２のいずれか１項に記載のインテリジェント撮影装置と、を備える、
インテリジェント端末。
【請求項１４】
請求項１〜６のいずれか１項に記載のインテリジェント撮影方法を実行するためのプログラムコードを記憶するように構成される、
記憶媒体。
【発明の詳細な説明】
【技術分野】
【０００１】
本開示は、通信技術分野に関し、特にインテリジェント撮影方法及び装置、インテリジェント端末に関する。
【背景技術】
【０００２】
現在、携帯電話のボディの厚さはますます薄くなり、携帯電話における主要部品であるカメラセンサ（ｃａｍｅｒａ  ｓｅｎｓｏｒ）の体積もますます小さくなる。これに対して、ユーザの撮影機能及び効果に対する要求はますます高くなっており、ユーザのさまざまなシーン撮影効果に対する要求が満たしにくい。
【発明の概要】
【０００３】
本開示の解决しようとする技術問題は、関連技術において端末の撮影効果がさまざまな撮影シーンの要求を満たしにくい問題を解决するためのインテリジェント撮影方法及び装置、インテリジェント端末を提供する。
【０００４】
一態様では、本開示は、撮影環境の環境情報を取得することと、前記環境情報に従って、対応するカメラを選択して撮影することと、を含むインテリジェント撮影方法を提供する。
【０００５】
好ましくは、前記環境情報は、光照射情報及び／又は被写体距離情報を含む。
【０００６】
好ましくは、撮影環境の光照射情報を取得することは、カラーセンサによって撮影環境の光照射情報を取得することを含む。
【０００７】
好ましくは、前記光照射情報は、環境輝度及び／又は環境色温度を含む。
【０００８】
好ましくは、前記光照射情報に従って対応するカメラを選択して撮影することは、前記環境輝度が第１の閾値よりも小さい場合、赤外線カメラを用いて撮影することと、前記環境輝度が前記第１の閾値よりも大きく、かつ、第２の閾値よりも小さく、かつ、前記環境色温度が予め設定された色温度閾値よりも小さい場合、低色温度カメラを用いて撮影することと、前記環境輝度が前記第２の閾値よりも大きく、かつ、第３の閾値よりも小さく、又は前記環境色温度が前記予め設定された色温度閾値よりも小さい場合、次強輝度カメラを用いて撮影することと、前記環境温度が前記第３の閾値よりも大きい場合、強輝度カメラを用いて撮影することとを含む。ここで、前記第１の閾値、前記第２の閾値及び前記第３の閾値は、上記の順に従って大きくなる
【０００９】
好ましくは、撮影環境の被写体距離情報を取得することは、レーザセンサによって被写体のカメラに対する撮影距離を取得することを含み、前記環境情報に従って、対応するカメラを選択して撮影することは、前記撮影距離が第１の距離よりも小さい場合、第１の絞りカメラを用いて撮影することと、前記撮影距離が前記第１の距離よりも大きい場合、第２の絞りカメラを用いて撮影することとを含む。
【００１０】
別の態様では、本開示は、撮影環境の環境情報を取得するように構成される情報取得ユニットと、前記情報取得ユニットによって取得した環境情報に従って、対応するカメラを選択して撮影するように構成される選択撮影ユニットと、を備えるインテリジェント撮影装置をさらに提供する。
【００１１】
好ましくは、前記環境情報は、光照射情報及び／又は被写体距離情報を含む。
【００１２】
好ましくは、撮影環境の光照射情報を取得することは、カラーセンサによって撮影環境の光照射情報を取得することを含む。
【００１３】
好ましくは、前記光照射情報は、環境輝度及び／又は環境色温度を含む。
【００１４】
好ましくは、前記選択撮影ユニットは、前記環境輝度が第１の閾値よりも小さい場合、赤外線カメラを用いて撮影し、前記環境輝度が前記第１の閾値よりも大きく、かつ、第２の閾値よりも小さく、かつ、前記環境色温度が予め設定された色温度閾値よりも小さい場合、低色温度カメラを用いて撮影し、前記環境輝度が前記第２の閾値よりも大きく、かつ、第３の閾値よりも小さく、又は前記環境色温度が前記予め設定された色温度閾値よりも大きい場合、次強輝度カメラを用いて撮影し、前記環境温度が前記第３の閾値よりも大きい場合、強輝度カメラを用いて撮影するように構成される。ここで、前記第１の閾値、前記第２の閾値及び前記第３の閾値は、上記の順に従って大きくなる。
【００１５】
好ましくは、前記情報取得ユニットは、レーザセンサによって被写体のカメラに対する撮影距離を取得するように構成され、前記選択撮影ユニットは、前記撮影距離が第１の距離よりも小さい場合、第１の絞りカメラを用いて撮影し、前記撮影距離が前記第１の距離よりも大きい場合、第２の絞りカメラを用いて撮影するように構成される。
【００１６】
さらなる態様では、本開示は、本開示によるいずれかのインテリジェント撮影装置を備えるインテリジェント端末をさらに提供する。
【００１７】
本開示の実施例によるインテリジェント撮影方法、装置及びインテリジェント端末は、撮影環境の環境情報を取得し、環境情報に従って、対応するカメラを選択して撮影することができ、それにより撮影のために選択されるカメラを撮影シーンに自動的に適応させることができ、異なる環境に対する撮影効果を効果的に改善する。
【図面の簡単な説明】
【００１８】
【図１】本開示の実施例によるインテリジェント撮影方法のフローチャートである。
【図２】本開示の実施例の光照射情報と選択カメラの対応関係概略図である。
【図３】本開示の実施例によるインテリジェント撮影装置の構造概略図である。
【発明を実施するための形態】
【００１９】
以下、図面を参照しながら本開示を詳細に説明する。ここで説明する具体的な実施例は、本開示を解釈するためのものに過ぎず、本開示を限定するものではないことを理解すべきである。
【００２０】
図１に示すように、本開示の実施例は、以下のステップを含むインテリジェント撮影方法を提供する。
【００２１】
Ｓ１１において、撮影環境の環境情報を取得する。
【００２２】
Ｓ１２において、前記環境情報に従って、対応するカメラを選択して撮影する。
【００２３】
本開示の実施例によるインテリジェント撮影方法は、撮影環境の環境情報を取得し、環境情報に従って、対応するカメラを選択して撮影することができ、それにより撮影のために選択されるカメラを撮影シーンに自動的に適応させることができ、異なる環境に対する撮影効果を効果的に改善する。
【００２４】
例示的に、ステップＳ１１で取得された環境情報は、光照射情報及び／又は被写体距離情報を含んでもよい。ここで、光照射情報は、環境輝度と環境色温度のうちの少なくとも１つを含んでもよい。好ましくは、カラーセンサ（例えばＲＧＢセンサ）によって、撮影環境の光照射情報を取得してもよい。被写体距離情報とは、撮影される被写体とカメラとの間の距離である。好ましくは、レーザセンサによって対応する被写体距離情報を取得してもよい。
【００２５】
例示的に、対応する環境情報を取得した後に、ステップＳ１２において、当該環境情報に従って、対応するカメラを選択して撮影してもよい。もちろん、これは、端末に少なくとも２つのカメラを設置する必要がある。以下、異なるタイプの環境情報に応じて、カメラの選択状況をそれぞれに詳細に説明する。
【００２６】
好ましくは、環境情報に光照射情報が含まれる場合、光照射に対する感度が異なるカメラを選択して光照射条件の異なる環境を撮影してもよい。例えば、夜間環境の場合では、赤外線撮像カメラを用いてもよく、輝度および色温度が低い場合では、赤色に対する還元度が良く、色温度が低いシーンに適用されるカメラを用いてもよく、室内などの暗い環境では、感光性能のよいカメラを用いて撮影してもよく、晴天の屋外環境では、解像度の高いカメラを用いて撮影してもよい。
【００２７】
例を挙げて説明すると、本開示の１つの実施例において、前記光照射情報に従って対応するカメラを選択して撮影することは、
前記環境輝度が第１の閾値よりも小さい場合、赤外線カメラを用いて撮影することと、
前記環境輝度が前記第１の閾値よりも大きく、かつ、第２の閾値よりも小さく、かつ、前記環境色温度が予め設定された色温度閾値よりも小さい場合、低色温度カメラを用いて撮影することと、
前記環境輝度が前記第２の閾値よりも大きく、かつ、第３の閾値よりも小さく、又は前記環境色温度が前記予め設定された色温度閾値よりも小さい場合、次強輝度カメラを用いて撮影することと、
前記環境温度が前記第３の閾値よりも大きい場合、強輝度カメラを用いて撮影することと、を含んでもよい。
ここで、前記第１の閾値、前記第２の閾値及び前記第３の閾値は、上記の順に従って大きくなる。
【００２８】
なお、予め設定された色温度閾値、第１の閾値、第２の閾値及び第３の閾値の数値は、需要に応じて設置してもよい。例えば、本開示の１つの実施例において、予め設定された色温度閾値は２３００ｋであってもよく、第１の閾値は１０Ｌｕｘであってもよく、第２の閾値は１００Ｌｕｘであってもよく、第３の閾値は３００Ｌｕｘであってもよい。これに基づき、カメラ選択ポリシーは、図２に示すようにしてもよい。ここで、縦軸ＣＣＴは関連色温度であり、横軸Ｌｕｘは照度単位である。
【００２９】
図２に示すように、輝度が非常に低い場合、本実施例では１０ｌｕｘを限界とし、１０ｌｕｘよりも低い場合、赤外線カメラを起動して撮影する。色温度が低い場合、本実施例では２３００ｋを限界とし、色温度が２３００ｋよりも低く、輝度が低い場合、本実施例では１００ｌｕｘを限界とし、カメラ２を起動して撮影する。輝度が１００ｌｕｘ〜３００ｌｕｘである場合、カメラ３を起動して撮影する。明るいシーンにある場合、本実施例では３００ｌｕｘを限界とし、３００ｌｕｘよりも大きい場合、カメラ４を起動して撮影する。ここで、カメラ１は赤外線カメラであり、非常に暗いシーンに適用される。カメラ２は、赤色に対する還元度がよく、色温度が低いシーンに適用される。カメラ３は、感光性能がよく、輝度が高くないシーンに適用される。カメラ４は、解像度が相対的に高く、輝度が高いシーンでより精細な写真を撮影することができる。
【００３０】
なお、本実施例において、４つのカメラを例としてインテリジェント撮影方法を詳細に説明したが、本開示はこれに限定されない。本開示の他の実施例において、より少ない又は多くのカメラを利用して選択撮影に関与してもよい。
【００３１】
好ましくは、本開示の別の実施例では、ステップＳ１１で取得された撮影環境情報に撮影環境の被写体距離情報が含まれる場合、レーザセンサによって被写体のカメラに対する撮影距離を取得することができる。これに基づき、ステップＳ１２において、前記環境情報に従って、対応するカメラを選択して撮影することは、
前記撮影距離が第１の距離よりも小さい場合、第１の絞りカメラを用いて撮影するおことと、
前記撮影距離が前記第１の距離よりも大きい場合、第２の絞りカメラを用いて撮影することと、を含んでもよい。
【００３２】
ここで、第１の距離は、カメラ絞り及び被写界深度パラメータに従って調整してもよく、例えば、１メートル〜３メートルなどであってもよい。
【００３３】
本実例に使用される複数のカメラには、絞りが小さくて被写界深度が大きいカメラＡと、絞りが大きくて被写界深度が小さい撮影Ｂとを含む。距離が比較的に近い文字を撮影する場合、絞りの大きいカメラを使用すれば、エッジが不鮮明であるという問題が現れ、絞りの小さいカメラを使用すれば、効果が改善される。逆に、遠い被写体を撮影する場合、絞りの大きいカメラを使用し、より優れた撮影効果を取得することができる。
【００３４】
上記実施例では、それぞれ撮影環境の光照射情報および被写体距離情報に従って適切なカメラを選択して撮影するようにしているが、本開示はこれに限定されず、本開示の他の実施例において、光照射情報と被写体距離情報を併用して適切なカメラを選択してもよい。例えば、暗い室内環境で本における文字を撮影する場合、ＲＧＢセンサによって環境光照射が２６０Ｌｕｘであると検出され、レーザセンサによってシーンまでの距離が２０センチメートルであると検出される場合、暗い環境に適用し、絞りの小さいカメラを選択して撮影する。
【００３５】
対応的に、図３に示すように、本開示の実施例は、
撮影環境の環境情報を取得するように構成される情報取得ユニット３１と、
前記情報取得ユニットによって取得した環境情報に従って、対応するカメラを選択して撮影するように構成される選択撮影ユニット３２と、を備えるインテリジェント撮影装置をさらに提供する。
【００３６】
本開示の実施例によるインテリジェント撮影装置では、情報取得ユニット３１は、撮影環境の環境情報を取得することができ、選択撮影ユニット３２は、環境情報に従って、対応するカメラを選択して撮影することができ、それにより、撮影のために選択されるカメラを撮影シーンに自動的に適応させることができ、異なる環境に対する撮影効果を効果的に改善する。
【００３７】
好ましくは、前記環境情報は、光照射情報及び／又は被写体距離情報を含んでもよい。
【００３８】
好ましくは、撮影環境の光照射情報を取得することは、カラーセンサによって撮影環境の光照射情報を取得することを含んでもよい。
【００３９】
好ましくは、前記光照射情報は、環境輝度及び／又は環境色温度を含む。
【００４０】
好ましくは、選択撮影ユニット３２は、前記環境輝度が第１の閾値よりも小さい場合、赤外線カメラを用いて撮影し、前記環境輝度が前記第１の閾値よりも大きく、かつ、第２の閾値よりも小さく、かつ、前記環境色温度が予め設定された色温度閾値よりも小さい場合、低色温度カメラを用いて撮影し、前記環境輝度が前記第２の閾値よりも大きく、かつ、第３の閾値よりも小さく、又は前記環境色温度が前記予め設定された色温度閾値よりも大きい場合、次強輝度カメラを用いて撮影し、前記環境温度が前記第３の閾値よりも大きい場合、強輝度カメラを用いて撮影するように構成されてもよい。ここで、前記第１の閾値、前記第２の閾値及び前記第３の閾値は、上記の順に従って大きくなる。
【００４１】
好ましくは、情報取得ユニット３１は、レーザセンサによって被写体のカメラに対する撮影距離を取得するように構成されてもよい。
【００４２】
選択撮影ユニット３２は、前記撮影距離が第１の距離よりも小さい場合、第１の絞りカメラを用いて撮影し、
前記撮影距離が前記第１の距離よりも大きい場合、第２の絞りカメラを用いて撮影するように構成されてもよい。
【００４３】
対応的に、本開示の実施例は、少なくとも２つのカメラと、前記実施例によるいずれかのインテリジェント撮影装置とを備えるインテリジェント端末をさらに提供する。このため、対応する技術効果を実現することもできるが、これは既に詳細に説明したため、ここでは説明を省略する。
【００４４】
なお、本開示において、用語の“含む”、“含まれる”又はいずれか他の変異体は、非排他的な包含を含むことを意図し、これにより、一連の要素を含む過程、方法、物品又は装置は、それら要素を含むことだけではなく、明らかに列挙されない他の要素も含み、又はこのような過程、方法、物品又は装置に固有的な要素をさらに含む。より多くの制限がない場合に、文言の「一つ…を含む…」で限定される要素は、当該要素を含む過程、方法、物品又は装置にさらに別の同じ要素が存在することを排除するものではない。
【００４５】
以上の実施形態の説明により、当業者は上記実施例の方法がソフトウェアと必要な汎用ハードウェアプラットフォームの様態で実現できることが明らかにわかり、もちろん、ハードウェアで実現されてもよいが、多くの場合には前者がより好ましい実施形態である。このような理解に基づいて、本開示の技術の解決手段は本質的に、即ち、関連技術に貢献する部分はソフトウェア製品の形式で体現されることができ、当該コンピュータソフトウェア製品は１つの記憶媒体（例えばＲＯＭ／ＲＡＭ、磁気ディスク、光ディスク）に記憶され、複数の指令を含むことで、１つの端末装置（携帯電話、コンピュータ、サーバ、エアコン、又はネットワーク装置などであってもよい）を本開示の各実施例に記載の方法を実行させる。
【００４６】
以上では、本開示の好ましい実施例に過ぎず、本開示の特許範囲を限定するものではなく、本開示の明細書及び図面の内容を利用して行われた等価構造又は等価フローチャート変換、又は他の関連技術分野に直接的又は間接的に適用されることはいずれも同理に本開示の特許保護範囲内に含まれる。
【産業上の利用可能性】
【００４７】
本開示の実施例によるインテリジェント撮影方法は、撮影環境の環境情報を取得し、環境情報に従って、対応するカメラを選択して撮影することができ、それにより撮影のために選択されるカメラを撮影シーンに自動的に適応させることができ、異なる環境に対する撮影効果を効果的に改善する。
【図１】
2020504969.tif 000003
【図２】
2020504969.tif 000004
【図３】
2020504969.tif 000005
【国際調査報告】
2020504969.tif 000006
2020504969.tif 000007
2020504969.tif 000008
2020504969.tif 000009
2020504969.tif 000010
2020504969.tif 000011